(57)【特許請求の範囲】
【請求項１】
上面に開口部を有する容器本体と、
前記開口部を覆設する蓋体と、
前記蓋体にて前記開口部を覆設した状態で、支持部にて前記蓋体を支持し、前記容器本体と前記蓋体との間に間隙を形成するよう、前記容器本体に収容される載置部と、
を備える樹脂製食器であって、
前記支持部は、前記蓋体が傾斜姿勢となるよう支持し、
前記傾斜姿勢の下方側に位置する前記蓋体の一部が前記容器本体に当接される
ことを特徴とする樹脂製食器。
【請求項２】
前記載置部は、前記支持部が設けられる基部を有し、前記基部には前記容器本体との間に連通孔が形成される請求項１に記載の樹脂製食器。
【請求項３】
前記容器本体の内部にて、前記載置部に載置される食品は、前記間隙から流入される熱風によって再加熱可能とされる請求項１又は２に記載の樹脂製食器。
【発明の詳細な説明】
【技術分野】
【０００１】
本発明は、内部に収容された食品が熱風によって再加熱される樹脂製食器に関するものである。
【背景技術】
【０００２】
従来より、病院、高齢者施設等で、急速冷蔵して保管された調理済みの食品を食器に盛り付け、配膳前に再加熱して提供するクックチルシステムが公知である。
【０００３】
このような再加熱用の食器として、例えば、上面開口の箱状で底部周縁に鍔部を有する容器本体と、下面開口の箱状であり、容器本体にかぶせた状態で鍔部に突当る側部を有する蓋体とからなり、容器本体の側部のほとんどと、蓋体の側部のほとんどとは、蓋体を容器本体にかぶせた状態で両者の間に断熱のための空間が形成されるように構成されているものが公知である（特許文献１参照）。
【先行技術文献】
【特許文献】
【０００４】
【特許文献１】特許第５１７７４８８号公報
【発明の概要】
【発明が解決しようとする課題】
【０００５】
しかしながら、特許文献１の構造では、再加熱用の食器容器内の食品が暖められて、水蒸気が発生したとしても、当該食器の外側へ逃げにくい形状としているため、例えば、天ぷら、フライ、から揚げ等の油料理を再加熱する際には、加熱時の水蒸気によって表面がべとついてしまい、見栄えと食感が悪くなってしまうことが懸念されるものであった。
【０００６】
そこで、本発明はこのような問題点を解決するものであって、揚げ物等の油料理の美観、食感等を損ねることなく熱風によって再加熱することができる樹脂製食器を提供することを課題とする。
【課題を解決するための手段】
【０００７】
前記問題点を解決するために、本発明の請求項１に記載の樹脂製食器は、上面に開口部を有する容器本体と、前記開口部を覆設する蓋体と、前記蓋体にて前記開口部を覆設した状態で、支持部にて前記蓋体を支持し、前記容器本体と前記蓋体との間に間隙を形成するよう、前記容器本体に収容される載置部とを備えることを特徴とするものである。
【００１０】
また、本発明の請求項２に記載の樹脂製食器は、請求項１に記載の樹脂製食器において、前記載置部は、前記支持部が設けられる基部を有し、前記基部には前記容器本体との間に連通孔が形成されるものである。
【００１１】
また、本発明の請求項３に記載の樹脂製食器は、請求項１又は２に記載の樹脂製食器において、前記容器本体の内部にて、前記載置部に載置される食品は、前記間隙から流入される熱風によって再加熱可能とされるものである。
【発明の効果】
【００１２】
本発明の樹脂製食器では、容器本体に収容される載置部によって、容器本体と蓋体との間に間隙を形成し、当該間隙から熱風を流入させることで、揚げ物等の油料理の美観、食感等を損ねることなく再加熱することができる。
【図面の簡単な説明】
【００１３】
【図１】本発明の実施例における樹脂製食器の小開口状態を示す斜視図である。
【図２】本発明の実施例における図１のＡ−Ａ断面図である。
【図３】本発明の実施例における樹脂製食器の大開口状態を示す斜視図である。
【図４】本発明の実施例における図３のＢ−Ｂ断面図である。
【図５】本発明の実施例における樹脂製食器の載置部を収容した容器本体の拡大平面図である。
【図６】本発明の実施例における別実施例の樹脂製食器の断面図である。
【発明を実施するための形態】
【００１４】
以下、本発明の実施の形態における樹脂製食器を図面に基づいて説明する。当該樹脂製食器は、上面に開口部を有する容器本体と、開口部を覆設する蓋体と、蓋体にて開口部を覆設した状態で、支持部にて蓋体を支持し、容器本体と蓋体との間に間隙を形成するよう、容器本体に収容される載置部とを備えるものである。これにより、樹脂製食器の間隙から熱風を流入させることができ、容器本体の内部にて載置部に載置される食品、特に天ぷら、フライ、から揚げ等の油料理の美観、食感等を損ねることなく、再加熱することができる。
【００１５】
ここで、覆設した状態又は後述する覆設状態とは、容器本体と蓋体との嵌合状態を意味するものではなく、蓋体によって容器本体の開口部を覆設するとともに、支持部によって容器本体と蓋体との間に間隙を形成した状態を意味するものである。また、嵌合状態とは、載置部を設けることなく容器本体と蓋体とを密閉するように嵌合した状態を意味するものである。
【００１６】
当該樹脂製食器は、外側からの熱風により再加熱するクックチル用の食器、すなわち、熱風による乾燥を防止するため密閉性が高い食器であって、容器本体と蓋体とが一対となって使用される主菜皿型、丼型、椀型等の各種食器とされる。以下の実施例においては、樹脂製食器を比較的高さ寸法の小さい主菜皿型とし、載置部に載置される食品を揚げ物（図示しない）として説明する。
【実施例】
【００１７】
本発明の実施例に係る樹脂製食器は、図１及び図２に示すように、上面に開口部１５を有する容器本体１０と、当該開口部１５を覆設する蓋体２０と、容器本体１０に収容される載置部３０とを備えてなる。当該樹脂製食器のうち、容器本体１０及び蓋体２０は、例えば、メラミン樹脂等の熱硬化性樹脂、ポリエーテルサルホン（ＰＥＳ）等の熱可塑性樹脂、その他磁器、金属、木等で形成される。
【００１８】
容器本体１０は、図２及び図５に示すように、上面に開口部１５を有する有底状とされ、載置部３０を載置する底部１１を有してなる。当該底部１１における上方面の外周縁部には、上方に向かって側部１２が突設されており、底部１１の下方面には、下方に向かって糸尻部となる脚部１６が突設されている。
【００１９】
当該側部１２は、底部１１に対して外側方向に広がりつつ上方へ向かって突設する形状とすることもできるし、収容される食品の大きさによって、所定の高さ寸法を有するものとして、適宜変更することができるのは勿論である。また、脚部１６は、切欠部１４にて所定間隔を有した状態で断続的に設けることもできるし、所定間隔を有することなく連続的に設けることもできるし、これに限られない。
【００２０】
また、側部１２には、蓋体２０の蓋側鍔部２３を上方から当接させて支持するための本体側鍔部１３が設けられる。当該本体側鍔部１３は、側部１２の上端部から外側方向へ突設され、樹脂製食器の載置面に対して水平方向に延設することもできるし、斜め上方又は斜め下方へ向けて延設することもできる。また、円弧状に延設することもできるし、これに限られることなく、これらを適宜組み合わせ、例えば、断面略Ｌ字状等の所定形状の本体側鍔部１３を形成することができるのは勿論である。
【００２１】
本実施例において、容器本体１０は、矩形状に形成される底部１１の外周縁部から側部１２が上方に向かって突設されており、当該側部１２から樹脂製食器の載置面に対して斜め上方へ向けて本体側鍔部１３が突設してなり、上面に開口部１５を有する形状としている。すなわち、本体側鍔部１３の上方面は、容器本体１０の内側方向へ向けてテーパ状となっており、容器本体１０に対して蓋体２０を覆設させ易い構造としている。また、底部１１の下方面には、下方に向かって糸尻部となる脚部１６が突設される。当該脚部１６には、底部１１の下方面へ熱風が流入し易いよう、各辺に切欠部１４が設けられており、所定間隔を有した状態で断続的に脚部１６を設けた構造としている。これにより、容器本体１０の側部１２のみではなく、底部１１においても切欠部１４から流入する熱風によって加熱させることができ、効率的である。
【００２２】
蓋体２０は、図１及び図２に示すように、容器本体１０の上方に配置され、開口部１５を覆設する蓋部２１を有してなる。当該蓋部２１は、容器本体１０における側部１２の内側寸法より小さく設定される縁部２２を側部１２の上端部と近接対向させることで、当該縁部２２を側部１２の内側方向に配設する構造としている。より望ましくは、蓋部２１によって、容器本体１０の開口部１５を覆設するとともに、側部１２における上端部の近傍にて、側部１２に沿うようにして下方に向けて突設される縁部２２を側部１２と近接対向させてなる。
【００２３】
また、当該縁部２２の近傍にて、蓋部２１から突設する蓋側鍔部２３によって、容器本体１０の本体側鍔部１３に載置可能な構造としている。すなわち、載置部３０を設けない樹脂製食器の嵌合状態において、容器本体１０の本体側鍔部１３によって、蓋体２０の蓋側鍔部２３を支持するよう構成される。当該蓋側鍔部２３は、蓋部２１の上方面から外側方向へ突設され、樹脂製食器の載置面に対して水平方向に延設することもできるし、斜め上方又は斜め下方へ向けて延設することもできる。また、円弧状に延設することもできるし、これに限られるものではない。
【００２４】
また、容器本体１０に対して蓋体２０を覆設させ易くするために、側部１２の上端部と蓋体２０の縁部２２との間に所定の隙間を設けることもできる。また、蓋部２１は、容器本体１０と同様にして、収容される食品の大きさによって、略平板状とすることもできるし、断面略弓状等とすることもできるし、これに限られない。また、蓋部２１には、上方面から外側方向へ突設する 取っ手２４が設けられる。
【００２５】
本実施例において、蓋体２０は、断面略弓状に形成される蓋部２１の縁部２２が容器本体１０における側部１２の内側寸法より小さく設定されるとともに、側部１２の上端部と近接対向するよう形成され、当該縁部２２の近傍にて、蓋部２１の上方面から外側方向へ突設するよう蓋側鍔部２３が形成される。また、容器本体１０に蓋体２０を覆設した状態において、本体側鍔部１３によって蓋側鍔部２３を支持し、側部１２の上端部と蓋体２０の縁部２２との間に所定の隙間を設ける構成とし、容器本体１０に対して蓋体２０を覆設させ易くしている。また、図２に示すように、当該覆設状態にて、本体側鍔部１３における略半分以上の寸法を露呈させた状態とし、上方からの熱風を容器本体１０と蓋体２０との間隙ｔ１へと流入させ易い構成としている。また、蓋部２１には、上方面から外側方向へ突設する 取っ手２４が設けられる。
【００２６】
載置部３０は、図１から図５に示すように、容器本体１０に収容され、食品が載置されるものである。当該載置部３０は、例えば、金属製、樹脂製等からなり、容器本体１０の底部１１に配設されて、食品が載置される基部３１と、基部３１から延設される支持部３３とから構成される。当該基部３１は、容器本体１０の底部１１に対応する形状とすることが望ましく、食品となる揚げ物と底部１１との間隙によって油切れを良くするとともに、食品の下方からも加熱する ことができるように連通孔３２を有してなる。当該連通孔３２は、基部３１の全面に設けることもできるし、一部分にのみ設ける構成とすることもできる。
【００２７】
また、支持部３３は、容器本体１０と蓋体２０との覆設状態において、蓋体２０を支持し、容器本体１０と蓋体２０との間に間隙ｔ１、ｔ２を形成するものである。より具体的には、容器本体１０における開口縁部の近傍に位置する蓋体２０を支持し、蓋体２０の傾斜姿勢にて当該間隙ｔ１、ｔ２を形成するものである。これにより、樹脂製食器の内部へと熱風を流入させることができ、食品を直接的に加熱させることができる。また、食品の再加熱時において、食品に含有する水分の気化により発生する水蒸気を容器本体１０と蓋体２０との間隙ｔ１、ｔ２から適度に排出することができる。結果として、食品の表面がべとつくことなく、美観、食感等を損ねることのない状態で再加熱することができる。
【００２８】
当該支持部３３は、例えば、線材、板状体等からなる基部３１から所定角度にて一体的に折曲させるものであってもよいし、基部３１から所定円弧部にて湾曲するよう一体に形成されるものであってもよい趣旨である。また、支持部３３は、基部３１と一体に形成されるものに限られることなく、別体とすることもできるのは勿論である。また、支持部３３は、基部３１に対して一箇所のみではなく、複数箇所に設けることもできる。これにより、容器本体１０と蓋体２０との間隙ｔ１、ｔ２を増減させることができ、収容される食品に応じて流入させる熱風の風量を適宜調節することができる。
【００２９】
また、支持部３３は、図２、図４及び図５に示すように、載置部３０が容器本体１０に収容された状態で、容器本体１０の本体側鍔部１３から外側方向へ突出しないように構成される。これにより、クックチル用の熱風再加熱カート内にて隣接して配設される他の樹脂製食器に当接するのを防止し、収容される食品が崩れたり、蓋体２０が外れたりするのを防止することができる。
【００３０】
また、支持部３３は、容器本体１０と蓋体２０との嵌合状態にて、容器本体１０における開口縁部 の近傍に位置する蓋体２０、すなわち、蓋体２０の縁部２２を下方から支持して浮き上がらせ得るよう構成される。より望ましくは、支持部３３は、少なくとも容器本体１０における側部１２の高さ寸法を有するとともに、先端部３４が底部１１側から本体側鍔部１３側へと突出するよう構成される。これにより、支持部３３によって、蓋体２０における蓋部２１の縁部２２、又は蓋側鍔部２３を安定した状態で支持することができ、容器本体１０と蓋体２０との間に間隙ｔ１又は間隙ｔ２を形成することができる。
【００３１】
本実施例において、載置部３０は、防錆処理がなされた金属製の線材を適宜格子状に組み合わせて連通孔３２を形成し、容器本体１０の底部１１に対応するよう矩形状に形成される基部３１に対して、格子を形成する一部の線材を円弧状に斜め上方へと延設することで、基部３１における一方の長辺側に支持部３３を形成している。当該載置部３０は、容器本体１０内に収容された状態で、図２に示すように、容器本体１０の本体側鍔部１３から外側方向へ突出しないように構成されるとともに、容器本体１０における本体側鍔部１３の近傍に至るまでの高さ寸法を有して構成される。
【００３２】
このようにして構成される樹脂製食器は、図１から図４に示すようにして、食品となる揚げ物（図示しない）が載置部３０に載置されており、容器本体１０に対して蓋体２０が覆設されるとともに、載置部３０の支持部３３、支持部３３の先端部３４によって容器本体１０と蓋体２０との間に間隙ｔ１又は間隙ｔ２を有した状態で、熱風再加熱カート（図示しない）内に供給される熱風によって再加熱する。
【００３３】
また、再加熱の方法については、容器本体１０と蓋体２０との覆設状態によって、両者間の間隙ｔ１を小開口とする小開口状態と、間隙ｔ１より大開口の間隙ｔ２とする大開口状態とを適宜選択することができる。
【００３４】
小開口状態においては、図１及び図２に示すように、支持部３３が配設される側の側部１２（図２の左側）において、支持部３３の上方から蓋体２０の縁部２２が少なくとも当接し、支持部３３によって支持されることで、支持部３３により浮き上がった状態となり、縁部２２と側部１２との間に間隙ｔ１を形成している。また、支持部３３の上方から蓋体の縁部２２及び蓋側鍔部２３を当接させることで、より安定した状態で支持することができる。
【００３５】
また、支持部３３が配設される側の側部１２と中央部を介して対向する位置における側部１２（図２の右側）においては、支持部３３によって蓋体２０が傾斜姿勢となることから、傾斜姿勢の下方側に位置する蓋体２０の一部である縁部２２が側部１２に当接するとともに、蓋体２０の蓋側鍔部２３が容器本体１０の本体側鍔部１３に当接した状態となる。すなわち、支持部３３が配設される側の側部１２と対向する位置における側部１２においては、間隙ｔ１から流入された熱風が容器本体１０の外側方向へ流出するのを防止している。
【００３６】
また、支持部３３が配設される側の側部１２と隣接する位置における側部１２においては、蓋体２０の傾斜姿勢によって、蓋体２０の蓋側鍔部２３が容器本体１０の本体側鍔部１３に支持されることなく、本体側鍔部１３から浮き上った状態となっている。すなわち、支持部３３が配設される側の側部１２と隣接する位置における側部１２においても、側部１２の上端部と蓋体２０の縁部２２との間における所定の隙間から熱風を流入させることができるようになっている。
【００３７】
このようにして、支持部３３が配設される側の側部１２、これに隣接する両側部１２の計三方から熱風を流入させることができるとともに、流入した熱風が流出し難いような構成とすることができる。これにより、樹脂製食器の内部へと流入する熱風によって、直接的に揚げ物を加熱させることができるとともに、再加熱時に発生する水蒸気を間隙ｔ１から適度に排出させることができ、食品の表面がべとつくことなく、美観、食感等を損ねることのない状態で再加熱することができる。
【００３８】
一方、大開口状態においては、図３及び図４に示すように、容器本体１０に覆設される蓋体２０の位置を小開口状態時から支持部３３の先端部３４側へと外側方向へとずらすようにすることで、容器本体１０と蓋体２０との間の間隙ｔ２の領域を増大させている。
【００３９】
より詳細には、支持部３３が配設される側の側部１２（図４の左側）において、蓋体２０の縁部２２を容器本体１０の本体側鍔部１３に当接させるとともに、支持部３３の先端部３４に縁部２２の内側面を当接させ、支持部３３の先端部３４によって支持することで、蓋体２０を掛止した状態としている。これによって、支持部３３側の蓋体２０が浮き上がった状態となり、支持部３３が配設される側の側部１２と中央部を介して対向する位置における側部１２（図４の右側）において、容器本体１０と蓋体２０との間に間隙ｔ２を形成し、縁部２２が載置部３０に当接した状態となる。すなわち、小開口状態と相違して、支持部３３が配設される側の側部１２において、間隙ｔ２から流入された熱風が容器本体１０の外側方向へ流出するのを防止している。
【００４０】
また、支持部３３が配設される側の側部１２と隣接する位置における側部１２においては、小開口状態における傾斜角度より大きくなる蓋体２０の傾斜姿勢によって、蓋体２０における大部分の蓋側鍔部２３が容器本体１０の本体側鍔部１３に支持されることなく、本体側鍔部１３から浮き上がった状態となっている。すなわち、支持部３３が配設される側の側部１２と隣接する両側部１２においては、側部１２の上端部と蓋体２０の縁部２２との間における所定の隙間から熱風を流入させることができるようになっている。
【００４１】
このようにして、支持部３３が配設される側の側部１２と対向する位置における側部１２、これに隣接する両側部１２の計三方から熱風を流入させることができるとともに、流入した熱風が流出し難いような構成とすることができる。当該大開口状態での再加熱においては、小開口状態と同様の効果を奏するものであり、収容される食品の種類、大きさ、分量等によって、適宜選択することができる。
【００４２】
以上、説明した本発明に係る樹脂製食器によれば、容器本体１０に収容される載置部３０によって、容器本体１０と蓋体２０との間に間隙ｔ１又は間隙ｔ２を形成し、当該間隙から熱風を流入させることで、揚げ物等の油料理の美観、食感等を損ねることなく再加熱することができる。また、覆設状態にて、容器本体１０に対する蓋体２０の位置決めを行うことができるとともに、収容される食品の種類、大きさ、分量等によって、容器本体１０と蓋体２０との間の間隙ｔ１又は間隙ｔ２を適宜調節することができる。
【００４３】
上述した実施例において、容器本体１０、蓋体２０、載置部３０の形状、寸法等を適宜変更して実施することが可能である。例えば、容器本体１０における側部１２の高さ寸法が大きくなる場合（例えば、丼型、椀型等）、においては、上記実施例の大開口状態で覆設すると、支持部３３と対向する側における蓋体２０の縁部２２及び蓋側鍔部２３が容器本体１０の下方へ落ち込んでしまい、収容される食品が崩れる虞があるので、小開口状態にて覆設することが望ましい。
【００４４】
また、容器本体１０においては、側部１２から突設される本体側鍔部１３を設けない構成とすることもできる。係る際には、蓋体２０の蓋部２１から突設される蓋側鍔部２３を容器本体１０における側部１２の上端部にて支持することで覆設状態となるよう構成される容器本体１０とすればよい趣旨である。すなわち、底部１１と底部１１から上方へ突設する側部１２とを少なくとも有する容器本体１０に対して載置部３０を収容することで、蓋体２０の覆設状態にて両者間に間隙ｔ１又は間隙ｔ２を形成する構成とすることもできる。
【００４５】
また、載置部３０における支持部３３は、基部３１に対して複数回折曲させて形成することもできる。すなわち、載置部３０が容器本体１０に収容された状態で、容器本体１０における側部１２に対応する所定の高さ寸法を有し、先端部３４が底部１１側から本体側鍔部１３側へと突出するとともに、容器本体１０の本体側鍔部１３から外側方向へ突出することがないよう構成されていればよい趣旨である。
【００４６】
例えば、図６に示すように、基部３１に対して支持部３３を略Ｌ字状に折曲させることができる。具体的には、基部３１の一端部から支持部３３を上方へ折曲させるとともに、容器本体１０の本体側鍔部１３へ臨むように水平方向へと先端部３４側を再度折曲させてなる。係る際において、上記実施例と同様に開口部１５を覆設するには、蓋体２０の縁部２２を支持部３３にて支持することで、容器本体１０と蓋体２０との間に間隙ｔ３を形成することができる。また、支持部３３の先端部３４は、容器本体１０の本体側鍔部１３に当接するものであってもよいし、当該本体側鍔部１３から浮き上がるものであってもよい。
【００４７】
さらに、支持部３３における蓋体２０の支持においては、安定した状態で蓋体２０を支持できる態様であれば、蓋体２０の縁部２２を下方から支持するものに限られるものではない。すなわち、蓋部２１における略中央部から縁部２２に至るまでの間を支持部３３にて支持して浮き上がらせ、蓋体２０を傾斜姿勢とすることもできる。
【００４８】
さらに、一部構成を省略することができるし、一部抽出した構成とすることができるのは勿論である。
【符号の説明】
【００４９】
１０    容器本体
１１    底部
１２    側部
１３    本体側鍔部
１５    開口部
２０    蓋体
２１    蓋部
２２    縁部
２３    蓋側鍔部
３０    載置部
３１    基部
３２    連通孔
３３    支持部
３４    先端部
ｔ１〜ｔ３  間隙
【図１】
0006618292.tif 000002
【図２】
0006618292.tif 000003
【図３】
0006618292.tif 000004
【図４】
0006618292.tif 000005
【図５】
0006618292.tif 000006
【図６】
0006618292.tif 000007